(57)【要約】【課題】従来の構成では、ロック設定に関する操作性が悪い。【解決手段】撮影装置を、複数の操作部と、ユーザによる所定の操作に従い、複数の操作部の各々に割り当てられている機能のうち特定の機能に対する操作入力を無効にする無効手段と、を備える構成とする。【選択図】図３
2018087937.tif 000002
【特許請求の範囲】
【請求項１】
複数の操作部と、
ユーザによる所定の操作に従い、前記複数の操作部の各々に割り当てられている機能のうち特定の機能に対する操作入力を無効にする無効手段と、
を備える、
撮影装置。
【請求項２】
前記無効手段により操作入力が無効にされる機能又は関連する複数の機能よりなる機能群をユーザ操作に従って決定する手段
を更に備える、
請求項１に記載の撮影装置。
【請求項３】
ユーザ操作によって任意に選択された機能を前記複数の操作部のうちの１つに割り当てる手段
を更に備える、
請求項１又は請求項２に記載の撮影装置。
【請求項４】
前記複数の操作部の少なくとも１つは、
割り当てられる機能が前記撮影装置の状態に応じて切り替わる、
請求項１から請求項３の何れか一項に記載の撮影装置。
【発明の詳細な説明】
【技術分野】
【０００１】
本発明は、撮影装置に関する。
【背景技術】
【０００２】
撮影装置において、誤操作を防止するため、操作部に対する操作入力をロックする（無効にする）構成が知られている。
【０００３】
例えば特許文献１に、この種の撮影装置の具体的構成が記載されている。特許文献１では、ロック操作選択のメニュー画面上に操作部（メインダイヤル等）がリスト表示される。メニュー画面に表示されたリストの中からユーザ操作によって操作部が指定されると、指定された操作部に対する操作入力がロックされる。
【先行技術文献】
【特許文献】
【０００４】
【特許文献１】特許第５８２８６５０号公報
【発明の概要】
【発明が解決しようとする課題】
【０００５】
特許文献１に記載の撮影装置では、その動作状態（撮影モードや再生モード等）に応じて操作部に割り当てられる機能が切り替わる。そのため、操作部のロック設定が解除されることなく動作状態が切り替えられると、操作できなくなる機能が切り替えられた動作状態に応じて変わることになる。
【０００６】
しかし、ユーザがロックしたい対象は、操作部を操作したときに発揮される撮影装置の機能であり、操作部自体をロックしたいわけではない。
【０００７】
例えば、ユーザが、露出設定に関する機能をロックし、画像再生に関する機能をロックしたくない場合を考える。特許文献１に記載の構成では、ある操作部に対し、撮影モード時には露出設定に関する機能が割り当てられ、再生モード時には画像再生に関する機能が割り当てられることになる。そのため、ユーザは、撮影モードと再生モードとを切り替える毎に当該操作部に対するロック操作とロック解除操作を行う必要がある。従って、特許文献１に記載の構成では、ロック設定に関する操作性が悪いという問題が指摘される。
【０００８】
本発明は上記の事情に鑑みてなされたものであり、その目的とするところは、ロック設定に関する操作性を向上させるのに好適に構成された撮影装置を提供することである。
【課題を解決するための手段】
【０００９】
本発明の一実施形態に係る撮影装置は、複数の操作部と、ユーザによる所定の操作に従い、複数の操作部の各々に割り当てられている機能のうち特定の機能に対する操作入力を無効にする無効手段とを備える。
【発明の効果】
【００１０】
本発明の一実施形態によれば、ロック設定に関する操作性を向上させるのに好適に構成された撮影装置が提供される。
【図面の簡単な説明】
【００１１】
【図１】本発明の一実施形態に係る撮影装置の構成を示すブロック図である。
【図２】本発明の一実施形態に係る撮影装置の構成を示す概略外観図である。
【図３】本発明の一実施形態において実行される機能ロック及びロック解除に関する処理のフローチャートを示す図である。
【図４】本発明の一実施形態において撮影装置の何れかの操作部が操作されたときに実行される処理のフローチャートを示す図である。
【図５】本発明の別の一実施形態に係る撮影装置の背面図である。
【発明を実施するための形態】
【００１２】
以下、本発明の一実施形態に係る撮影装置について図面を参照しながら説明する。以下においては、本発明の一実施形態として、デジタル一眼レフカメラについて説明する。なお、撮影装置は、デジタル一眼レフカメラに限らず、例えば、ミラーレス一眼カメラ、コンパクトデジタルカメラ、ビデオカメラ、カムコーダ、タブレット端末、ＰＨＳ（Personal Handy phone System）、スマートフォン、フィーチャフォン、携帯ゲーム機など、撮影機能を有する別の形態の装置に置き換えてもよい。
【００１３】
図１は、本発明の一実施形態に係る撮影装置１の構成を示すブロック図である。図１に示されるように、撮影装置１は、撮影レンズ系１０（撮影レンズ１１及び１２）を備えている。撮影レンズ１１と撮影レンズ１２との間には絞り１３が配置されている。撮影レンズ系１０の後方には、ミラー１４が配置されている。ミラー１４はハーフミラーであり、ハーフミラー面が撮影レンズ系１０の光軸ＡＸに対して約４５°をなす姿勢で配置されている。
【００１４】
被写体からの光束（被写体光束）は、撮影レンズ系１０を透過してミラー１４に入射される。ミラー１４の後方には、ミラー１４側から順に、フォーカルプレーンシャッタ１５、固体撮像素子１６が配置されている。ミラー１４の上方には、ミラー１４側から順に、拡散板（焦点板又はピント板）１８、ペンタプリズム１７が配置されている。
【００１５】
ミラー１４に入射された被写体光束の一部はミラー１４により反射され、拡散板１８を介してペンタプリズム１７に入射される。拡散板１８は、固体撮像素子１６の撮像面と等価な位置に配置されている。そのため、拡散板１８には、撮影レンズ系１０を通過した被写体光束が結像する。ペンタプリズム１７は、複数の反射面を持ち、拡散板１８に結像して入射した被写体像を各反射面で反射させることで正立像とし、接眼レンズ１９に向けて射出する。接眼レンズ１９は、拡散板１８上に結像されてペンタプリズム１７により正立化された被写体像を、撮影者の観察に適する虚像に再結像する。これにより、撮影者は、接眼レンズ１９を覗くことで被写体像を観察することができる。
【００１６】
ユーザインタフェース３２には、電源スイッチやレリーズスイッチ、操作ダイヤル、操作キーなど、ユーザが撮影装置１を操作するために必要な各種操作部が含まれる。ユーザにより電源スイッチが押されると、図示省略されたバッテリから撮影装置１の各種回路に電源ラインを通じて電源供給が行われる。ＣＰＵ（Central Processing Unit）３１は電源供給後、所定のメモリ領域（不図示）にアクセスして制御プログラムを読み出してワークエリアにロードし、ロードされた制御プログラムを実行することにより、撮影装置１全体の制御を行う。
【００１７】
ＣＰＵ３１は、固体撮像素子１６により撮像された画像に基づいて計算された測光値や測光センサ２６で測定された測光値に基づき適正露出が得られるように、絞り駆動回路２２を介して絞り１３を駆動制御する。状態表示装置３３（例えばＬＣＤ（Liquid Crystal Display））には、撮影モードやその時点での適正な露光時間、Ｆ値等が表示される。
【００１８】
レリーズスイッチが半押し操作されると、ＣＰＵ３１は、ＡＦ（Autofocus）センサ２５の検出結果に基づきレンズ制御回路２１を介して、光軸ＡＸ上における撮影レンズ１１と撮影レンズ１２の位置及び位置関係を制御する。これにより、撮影レンズ系１０の合焦状態が調整される。次いで、レリーズスイッチが全押し操作されると、ＣＰＵ３１は、シャッタ駆動回路２４を介してフォーカルプレーンシャッタ１５を駆動制御すると共にミラー１４をクイックリターンさせる。すなわち、ＣＰＵ３１は、フォーカルプレーンシャッタ１５の先幕走行開始直前から後幕走行終了直後の期間に限り、ミラー駆動回路２３を介してミラー１４をアップすることにより、撮影レンズ系１０の光軸ＡＸと平行な光路からミラー１４を退避させる。
【００１９】
撮影レンズ系１０を透過した被写体光束は、フォーカルプレーンシャッタ１５が開いている期間中、固体撮像素子１６の撮像面上で結像される。固体撮像素子１６は、例えばＣＭＯＳ（Complementary Metal Oxide Semiconductor）イメージセンサであり、撮像面上の各画素で結像した光学像を光量に応じた電荷として蓄積する。固体撮像素子１６は、蓄積された電荷をフローティングディフュージョンアンプにて電圧（ここでは「画素信号」と記す。）に変換し、変換された画素信号をＡ／Ｄ変換回路２７に出力する。Ａ／Ｄ変換回路２７は、入力された画素信号をＡ／Ｄ変換してＤＳＰ（Digital Signal Processor）４１に出力する。
【００２０】
ＤＳＰ４１は、固体撮像素子１６の電荷蓄積動作及び画素信号の読み出し動作を制御すると共に、Ａ／Ｄ変換回路２７より入力される画素信号に対して所定の信号処理を施す。具体的には、ＤＳＰ４１は、Ａ／Ｄ変換回路２７より入力される画素信号に対して色補間、マトリックス演算、Ｙ／Ｃ分離等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ４２は、例えば、ＤＳＰ４１による処理の実行時、処理データの一時的な保存場所として用いられる。
【００２１】
カードインタフェース４３のカードスロットにはメモリカード５０が着脱可能に装填される。ＤＳＰ４１は、カードインタフェース４３を介してメモリカード５０と通信可能である。ＤＳＰ４１は、生成された圧縮画像信号（撮影画像データ）をメモリカード５０（又は撮影装置１に備えられる不図示の内蔵メモリ）に保存する。
【００２２】
また、ＤＳＰ４１は、Ｙ／Ｃ分離後の信号に所定の信号処理を施して、フレームメモリ（不図示）にフレーム単位でバッファリングする。ＤＳＰ４１は、バッファリングされた信号を所定のタイミングで各フレームメモリから掃き出して所定のフォーマットのビデオ信号に変換し、モニタインタフェース４４を介してＬＣＤ制御回路４５に出力する。ＬＣＤ制御回路４５は、ＤＳＰ４１より入力される撮影画像データを基に液晶を変調制御すると共にバックライト４７を発光制御する。これにより、被写体の撮影画像がＬＣＤ４６の表示画面に表示される。ユーザは、適正なピントで撮影された適正な輝度のリアルタイムのスルー画をＬＣＤ４６の表示画面を通じて視認することができる。
【００２３】
図２（ａ）は撮影装置１の上面図を示し、図２（ｂ）は撮影装置１の背面図を示す。図２に示されるように、撮影装置１の筐体の上面及び背面には、ユーザインタフェース３２を構成する各種操作部が設けられている。具体的には、撮影装置１の上面には、図２（ａ）に示されるように、ユーザインタフェース３２の一部を構成するレリーズスイッチ３２ａ及びロックボタン３２ｂが設けられている。撮影装置１の背面には、図２（ｂ）に示されるように、ユーザインタフェース３２の一部を構成する、操作ダイヤル３２ｃ、操作キー３２ｄ、カスタマイズボタン３２ｅ１、３２ｅ２、３２ｅ３及びＬＣＤ４６が設けられている。操作キー３２ｄは、上下左右の方向キー及び方向キーの中央に位置する決定キーから構成される。ＬＣＤ４６は、タッチパネルディスプレイであり、ユーザインタフェース３２の一部を構成している。
【００２４】
カスタマイズボタン３２ｅ１、３２ｅ２、３２ｅ３には、ＬＣＤ４６に表示されるカスタマイズボタン設定画面に対するタッチ操作に応じて、例えば、露出補正、ＡＥ（Automatic Exposure）ロック、電子水準器の表示の切り替え、測距点の選択状態の切り替え、画像の削除、再生画像の拡縮表示、ホワイトバランス、撮影シーン（ポートレート、スポーツ、夜景、遠景等）の選択、保存形式（ＲＡＷ、ＪＰＥＧ等）の選択、通信形式（Ｗｉ-Ｆｉ、bluetooth等）の選択等の機能を任意に割り当てることが可能となっている。なお、これらの機能は、例示的には、操作ダイヤル３２ｃや操作キー３２ｄ、図示省略された他の操作部の何れかにも割り当てられている。
【００２５】
ユーザは、ＬＣＤ４６に表示されるロック対象機能設定画面を通じて機能のロック及びロック解除を行うことができる。機能のロックとは、当該機能の実行を指示するユーザによる操作入力を無効化することである。すなわち、機能がロックされることにより、その操作入力が行われても当該機能が実行されない。また、機能のロック解除とは、ロックされた機能を有効化することである。すなわち、機能がロック解除されると、ロックされていた機能がその操作入力に応じて実行されるようになる。
【００２６】
図２（ｃ）に、ロック対象機能設定画面の表示例を示す。なお、本実施形態では、ロック対象の機能をロック対象機能設定画面を通じてユーザが任意に設定することができるが、別の実施形態では、ロック対象の機能をユーザが設定することができず、予め決められた機能（例えばロックすべき頻度が高い機能）についてだけロック及びロック解除できるようにしてもよい。
【００２７】
図２（ｃ）の例では、ロック対象の機能として、測距点に関する機能、露出設定に関する機能、画像仕上げに関する機能、画面の明るさに関する機能がＬＣＤ４６上にリスト表示されている。測距点に関する機能には、例えば、測距点の選択状態を切り替える機能、測距モードを切り替える機能等が挙げられる。露出設定に関する機能には、例えば、絞り値、シャッタ速度、ＩＳＯ感度を設定する機能、ＡＥロック等が挙げられる。画像仕上げに関する機能には、例えば、ホワイトバランス機能、撮影シーンを選択する機能等が挙げられる。画面の明るさに関する機能には、ＬＣＤ４６の明るさを調整する機能等が挙げられる。
【００２８】
ユーザは、タッチ操作により、ロック対象機能設定画面上の各機能のチェックボックスにチェックを入れたりチェックを外したりすることができる。ユーザによって操作キー３２ｄ（決定キー）が押されると、その時点でチェックボックスにチェックが入れられている機能がロック対象となり、チェックボックスにチェックが入れられていない機能がロック対象外となる。
【００２９】
図３は、機能をロック及びロック解除する処理のフローチャートを示す図である。
【００３０】
［図３のＳ１１（ロックボタン３２ｂの操作判定）］
本処理ステップＳ１１では、ロックボタン３２ｂが押されているか否かが判定される。
【００３１】
［図３のＳ１２（操作ダイヤル３２ｃの操作判定）］
本処理ステップＳ１２は、処理ステップＳ１１にてロックボタン３２ｂが押されていると判定された場合（Ｓ１１：ＹＥＳ）に実行される。本処理ステップＳ１２では、操作ダイヤル３２ｃが回されたか否かが判定される。操作ダイヤル３２ｃが回されていないと判定された場合（Ｓ１２：ＮＯ）、本フローチャートの処理は、処理ステップＳ１１（ロックボタン３２ｂの操作判定）に戻る。
【００３２】
［図３のＳ１３（ロックの判定）］
本処理ステップＳ１３は、処理ステップＳ１２にて操作ダイヤル３２ｃが回されたと判定された場合（Ｓ１２：ＹＥＳ）に実行される。本処理ステップＳ１３では、機能のロック中であるか（より詳細には、本フローチャートの前回の実行の結果、少なくとも１つの機能がロックされている状態であるか）否かが判定される。
【００３３】
［図３のＳ１４（ロック対象の判定）］
本処理ステップＳ１４は、処理ステップＳ１３（ロックの判定）にて機能のロック中でないと判定された場合（Ｓ１３：ＮＯ）に実行される。本処理ステップＳ１４では、ロック対象機能設定画面上に表示された機能毎にチェックボックスにチェックが入れられているか（言い換えると、機能毎にロック対象として設定されているか）否かが判定される。
【００３４】
［図３のＳ１５（ロック設定）］
本処理ステップＳ１５では、処理ステップＳ１４（ロック対象の判定）にてロック対象として設定されていると判定された機能だけがロックされる。図２（ｃ）の例では、露出設定に関する機能及び画像仕上げに関する機能がロックされる。
【００３５】
［図３のＳ１６（ロック解除設定）］
本処理ステップＳ１６は、機能のロック中であると判定された場合（Ｓ１３：ＹＥＳ）に実行される。本処理ステップＳ１６では、ロックされていた全ての機能のロックが解除される。
【００３６】
図４は、ユーザインタフェース３２を構成する何れかの操作部が操作されたときに実行される処理のフローチャートを示す図である。
【００３７】
［図４のＳ２１（操作の判定）］
本処理ステップＳ２１では、ユーザインタフェース３２を構成する何れかの操作部が操作されたか否かが判定される。
【００３８】
［図４のＳ２２（ロックの判定）］
本処理ステップＳ２２は、処理ステップＳ２１（操作の判定）にてユーザインタフェース３２を構成する何れかの操作部が操作されたと判定された場合（Ｓ２１：ＹＥＳ）に実行される。本処理ステップＳ２２では、機能のロック中であるか否かが判定される。機能のロック中でないと判定された場合（Ｓ２２：ＮＯ）、本フローチャートの処理は、処理ステップＳ２５（機能の実行）に進む。
【００３９】
［図４のＳ２３（ロック対象の判定）］
本処理ステップＳ２３は、処理ステップＳ２２（ロックの判定）にて機能のロック中であると判定された場合（Ｓ２２：ＹＥＳ）に実行される。本処理ステップＳ２３では、処理ステップＳ２１（操作の判定）にて操作されたと判定された操作部に割り当てられている機能がロック対象として設定されているか否かが判定される。
【００４０】
ユーザインタフェース３２を構成する操作部の中には、割り当てられる機能が撮影装置１の状態（例えば撮影モード、再生モード、メニューモード等）に応じて切り替わるものもある。一例として、操作ダイヤル３２ｃには、撮影モード時には絞り値を設定する機能が割り当てられ、再生モード時にはＬＣＤ４６上に表示される再生画像の拡大・縮小を行う機能が割り当てられる。従って、本処理ステップＳ２３では、撮影装置１の状態も加味してロック対象の判定が行われる。
【００４１】
なお、撮影モードは、静止画や動画の撮影を行うモードである。再生モードは、撮影装置１の内蔵メモリやメモリカード５０に保存されている静止画や動画をＬＣＤ４６上で再生させるモードである。メニューモードは、ユーザ操作可能なメニュー画面をＬＣＤ４６上に表示させるモードである。
【００４２】
例えば、図３に示される処理の実行により露出設定に関する機能だけがロックされた状態で操作ダイヤル３２ｃが操作された場合を考える。この場合、撮影装置１が撮影モードに設定されていると、操作ダイヤル３２ｃに割り当てられている機能が絞り値を設定する機能であることから、本処理ステップＳ２３では、当該機能がロック対象として設定されていると判定される（Ｓ２３：ＹＥＳ）。一方、撮影装置１が再生モードに設定されていると、操作ダイヤル３２ｃに割り当てられている機能が再生画像の拡大・縮小を行う機能であることから、本処理ステップＳ２３では、当該機能がロック対象として設定されていないと判定される（Ｓ２３：ＮＯ）。
【００４３】
［図４のＳ２４（機能の無効化）］
本処理ステップＳ２４は、処理ステップＳ２３（ロック対象の判定）にて当該操作部に割り当てられている機能がロック対象として設定されていると判定された場合（Ｓ２３：ＹＥＳ）に実行される。本処理ステップＳ２４では、操作入力が無効化される。これにより、当該機能が実行されることなく、本フローチャートの処理が終了する。
【００４４】
［図４のＳ２５（機能の実行）］
本処理ステップＳ２５は、処理ステップＳ２２（ロックの判定）にて機能のロック中でないと判定された場合（Ｓ２２：ＮＯ）又は処理ステップＳ２３（ロック対象の判定）にて当該操作部に割り当てられている機能がロック対象として設定されていないと判定された場合（Ｓ２３：ＮＯ）に実行される。本処理ステップＳ２５では、操作入力に応じて当該機能が実行される。
【００４５】
このように、本実施形態では、操作部ではなく機能自体を対象にロック設定を行うことが可能となっている。そのため、ユーザは、例えばカスタマイズボタン３２ｅ１等に何れの機能が割り当てられているかを失念した場合であっても、所望の機能を的確にロック設定することができる。また、本実施形態では、例えば、カスタマイズボタン３２ｅ１等に割り当てられる機能が撮影装置１の状態に応じて切り替わる場合であっても、ロックしたい機能がカスタマイズボタン３２ｅ１等に割り当てられている期間だけ、その操作入力が無効化される。従って、本実施形態によれば、ロック設定に関する操作性の向上が達成される。
【００４６】
次に、下記の条件下でカスタマイズボタン３２ｅ１が操作された時の具体例について説明する。
【００４７】
本具体例では、露出設定に関する機能がロック対象機能として設定される。撮影装置１の状態毎におけるカスタマイズボタン３２ｅ１への割り当て機能は次に示される通りである。
・撮影モード時におけるカスタマイズボタン３２ｅ１への割り当て機能
露出補正
・再生モード時におけるカスタマイズボタン３２ｅ１への割り当て機能
再生画像の拡大
・メニューモード時におけるカスタマイズボタン３２ｅ１への割り当て機能
メニュー画面内での選択項目の切り替え
【００４８】
本具体例では、撮影モード時にカスタマイズボタン３２ｅ１が操作されると、露出補正機能がロック対象であることから、操作入力が無効化されて露出補正が行われない。一方、再生モード時やメニューモード時にカスタマイズボタン３２ｅ１が操作されると、再生画像の拡大機能やメニュー画面内での選択項目の切り替え機能がロック対象外であることから、操作入力が有効となり、再生画像の拡大やメニュー画面内での選択項目の切り替えが行われる。すなわち、本具体例では、カスタマイズボタン３２ｅ１に対する操作入力がロックされているわけでなく、機能に対してロック設定が行われていることから、撮影装置１の状態（より正確には、操作時点でカスタマイズボタン３２ｅ１に割り当てられている機能）に応じて操作入力が有効となったり無効となったりする。
【００４９】
撮影モード時におけるカスタマイズボタン３２ｅ１への割り当て機能が露出補正機能から測距点の選択状態を切り替える機能に設定変更されたとする。この場合、測距点の選択状態を切り替える機能がロック対象外であることから、露出補正機能の場合と異なり、撮影モード時であっても操作入力が有効となる。すなわち、本具体例では、カスタマイズボタン３２ｅ１に対する操作入力がロックされているわけでなく、機能に対してロック設定が行われていることから、カスタマイズボタン３２ｅ１への割り当て機能が設定変更されると、設定変更後の機能に応じて操作入力が有効となったり無効となったりする。
【００５０】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【００５１】
図５に、本発明の別の一実施形態に係る撮影装置１’の背面図を示す。図５に示されるように、撮影装置１’の背面には、ロック対象機能切替用レバー３２ｆが設けられている。ユーザは、ロック対象機能切替用レバー３２を操作することにより、関連する複数の機能よりなる機能群に対して一括でロック及びロック解除を行うことができる。
【００５２】
ユーザ操作によりロック対象機能切替用レバー３２ｆが「ＡＦ」のポジションに合わせられると、ＡＦに関する機能がロックされる。そのため、ユーザインタフェース３２を構成する各操作部のうちＡＦに関する機能が割り当てられている操作部が操作されても当該機能が実行されない。その他の機能が割り当てられている操作部については、操作に応じた機能が実行される。なお、ＡＦに関する機能には、例えば、連続ＡＦ/単発ＡＦ、ＡＦ領域選択モード、ＡＦ位置（スポット）選択モード等がある。ロック対象機能切替用レバー３２ｆが「ＡＦ」のポジションに合わせられたとき、ＡＦに関する全ての機能（ＡＦに関する機能群の全て）がロックされてもよく、また、ユーザ設定によりＡＦに関する機能群のうち一部の機能だけがロックされてもよい。
【００５３】
ユーザ操作によりロック対象機能切替用レバー３２ｆが「ＥＶ」のポジションに合わせられると、露出設定に関する機能がロックされる。そのため、ユーザインタフェース３２を構成する各操作部のうち露出設定に関する機能が割り当てられている操作部が操作されても当該機能が実行されない。その他の機能が割り当てられている操作部については、操作に応じた機能が実行される。なお、露出設定に関する機能には、例えば、シャッタ速度、絞り、ＩＳＯ感度、露出補正等がある。ロック対象機能切替用レバー３２ｆが「ＥＶ」のポジションに合わせられたとき、露出設定に関する全ての機能（露出設定に関する機能群の全て）がロックされてもよく、また、ユーザ設定により露出設定に関する機能群のうち一部の機能だけがロックされてもよい。
【００５４】
ユーザ操作によりロック対象機能切替用レバー３２ｆが「ＯＦＦ」のポジションに合わせられると、全ての機能がロック対象外となる。そのため、全ての操作部について、操作に応じた機能が実行される。
【００５５】
本発明の別の一実施形態によれば、ユーザは、ロック対象機能切替用レバー３２ｆを操作することにより、例えば撮影装置１’の電源がオンされていない状態でもロック設定を行うことができる。また、ユーザは、ロック対象機能切替用レバー３２ｆのポジションを変えるだけという簡単な操作でロック設定を変更することができる。
【符号の説明】
【００５６】
１  撮影装置
１０  撮影レンズ系
１１、１２  撮影レンズ
１３  絞り
１４  ミラー
１５  フォーカルプレーンシャッタ
１６  撮像素子
１７  ペンタプリズム
１８  拡散板
１９  接眼レンズ
２１  レンズ制御回路
２２  絞り駆動回路
２３  ミラー駆動回路
２４  シャッタ駆動回路
２５  ＡＦセンサ
２６  測光センサ
２７  Ａ／Ｄ変換回路
２８  温度センサ
３１  ＣＰＵ
３２  ユーザインタフェース
３３  状態表示装置
４１  ＤＳＰ
４２  バッファメモリ
４３  カードインタフェース
４４  モニタインタフェース
４５  ＬＣＤ制御回路
４６  ＬＣＤ
４７  バックライト
５０  メモリカード
【図１】
2018087937.tif 000003
【図２】
2018087937.tif 000004
【図３】
2018087937.tif 000005
【図４】
2018087937.tif 000006
【図５】
2018087937.tif 000007